(57)【要約】【課題】  宅内においてユーザに負担をかけることなく簡便に電気機器の異常診断を行うことができる機器異常診断システムを提供する。【解決手段】  宅内に設置されて、照明器具２００、電気機器２０１を接続して電力を供給する照明接続モジュール８ｃ、コンセントモジュール８ｄは、照明器具２００、電気機器２０１の作動状態を検出する状態検出手段を備え、照明接続モジュール８ｃ、コンセントモジュール８ｄが送信した前記作動状態は、診断制御モジュール８ａを介して、外部ネットワークであるインターネット網ＮＴに伝送され、宅外には、前記状態検出手段が検出した照明器具２００、電気機器２０１の作動状態をインターネット網ＮＴを介して取得し、当該作動状態に基づいて照明器具２００、電気機器２０１の異常を検知するセンター装置ＣＳを備える。【選択図】図１
2007265049.tif 000002
【特許請求の範囲】
【請求項１】
宅内に設置されて、電気機器を接続して当該電気機器に電力を供給し、且つ識別情報が各々に割り当てられている複数の電力供給手段と、
宅内に設置されて、電力供給手段に接続した電気機器の作動状態を検出する状態検出手段と、
宅内に設置されて、状態検出手段が検出した電気機器の作動状態と当該電気機器を接続した電力供給手段の識別情報とを外部ネットワークに伝送する制御手段と、
宅外に設置されて、状態検出手段が検出した電気機器の作動状態と当該電気機器を接続した電力供給手段の識別情報とを外部ネットワークを介して取得し、作動状態に基づいて電気機器の異常を検知するとともに、異常が検知された電気機器を接続している電力供給手段を識別情報に基づいて特定するセンター装置と
を備えることを特徴とする機器異常診断システム。
【請求項２】
前記状態検出手段は、電気機器のオン・オフ状態と、電気機器に供給される電力の情報とを、電気機器の作動状態として検出することを特徴とする請求項１記載の機器異常診断システム。
【請求項３】
前記状態検出手段は、少なくとも電気機器のオン・オフ状態を電気機器の作動状態として検出し、前記センター装置は、電気機器のオン・オフ状態を取得することで電気機器の累積使用時間を算出し、当該累積使用時間が所定時間に達したときに電気機器の寿命を検知することを特徴とする請求項１記載の機器異常診断システム。
【請求項４】
前記電気機器は、自己の機能情報を格納した機能情報記憶手段を備え、
前記状態検出手段は、電気機器の作動状態とともに当該電気機器の機能情報を検出し、
前記制御手段は、電力供給手段の識別情報に、当該電力供給手段に接続した電気機器の機能情報を付加して、電気機器の作動状態とともに外部ネットワークに伝送し、
前記センター装置は、複数の電気機器の各機能情報に対応する異常判断基準を格納した判断基準記憶手段を備え、外部ネットワークを介して取得した機能情報に対応する異常判断基準を参照することで、外部ネットワークを介して取得した電気機器の作動状態から、電気機器の異常を検知することを特徴とする請求項１乃至３いずれか記載の機器異常診断システム。
【請求項５】
前記センター装置は、電気機器の異常を検知したときに、異常検知信号、および異常が検知された電気機器を接続した電力供給手段の識別情報を外部ネットワークを介して前記制御手段へ伝送し、制御手段が異常検知信号および識別情報を受信したときに、当該識別情報が割り当てられた電力供給手段に接続された電気機器が異常であることを報知する異常報知手段を宅内に設けることを特徴とする請求項１乃至４いずれか記載の機器異常診断システム。
【請求項６】
造営面に埋め込み配設され、造営面の裏側に先行配線されて電力、情報信号を伝送する電線に接続された複数のゲート装置を備え、前記電力供給手段、前記状態検出手段、および前記制御手段は、ゲート装置を介して電力を供給されるとともに情報信号の授受を行うことを特徴とする請求項１乃至５いずれか記載の機器異常診断システム。
【発明の詳細な説明】
【技術分野】
【０００１】
本発明は、機器異常診断システムに関するものである。
【背景技術】
【０００２】
従来、宅内に配置された電気機器を管理する電気機器管理システムが提供されており、電気機器の異常診断を行っている（特許文献１）。
【特許文献１】特開２００４−２２２３７５公報
【発明の開示】
【発明が解決しようとする課題】
【０００３】
ところで、上述の電気機器管理システムでは、電気機器の異常・正常の判断を行う重要な機能を有する管理装置を各住宅内に設けており、管理装置の保守、データのバックアップ等を各住宅毎に行わなければならず、専門家ではないユーザに負担を強いるものであった。
【０００４】
本発明は、上記事由に鑑みてなされたものであり、その目的は、ユーザに負担をかけることなく簡便に電気機器の異常診断を行うことができる機器異常診断システムを提供することにある。
【課題を解決するための手段】
【０００５】
請求項１の発明は、宅内に設置されて、電気機器を接続して当該電気機器に電力を供給し、且つ識別情報が各々に割り当てられている複数の電力供給手段と、宅内に設置されて、電力供給手段に接続した電気機器の作動状態を検出する状態検出手段と、宅内に設置されて、状態検出手段が検出した電気機器の作動状態と当該電気機器を接続した電力供給手段の識別情報とを外部ネットワークに伝送する制御手段と、宅外に設置されて、状態検出手段が検出した電気機器の作動状態と当該電気機器を接続した電力供給手段の識別情報とを外部ネットワークを介して取得し、作動状態に基づいて電気機器の異常を検知するとともに、異常が検知された電気機器を接続している電力供給手段を識別情報に基づいて特定するセンター装置とを備えることを特徴とする。
【０００６】
この発明によれば、複数の住宅、ビルの機器異常に関する保守やデータのバックアップ等を、センター装置で一元化して行うことができ、各住宅、ビルのユーザに負担はかからない。したがって、ユーザに負担をかけることなく簡便に、照明器具を含む電気機器の異常診断を行うことができる。さらにセンター装置が、複数の電力供給手段に接続された電気機器の作動状態、およびその電力供給手段の識別情報を取得し、作動状態に基づいて電気機器の異常検知を行うとともに、識別情報に基づいて電力供給手段を特定することで、結果的にその電力供給手段に接続されている電気機器の異常を検知できる。
【０００７】
請求項２の発明は、請求項１において、前記状態検出手段は、電気機器のオン・オフ状態と、電気機器に供給される電力の情報とを、電気機器の作動状態として検出することを特徴とする。
【０００８】
この発明によれば、電気機器の異常診断に必要な情報を検出できる。
【０００９】
請求項３の発明は、請求項１において、前記状態検出手段は、少なくとも電気機器のオン・オフ状態を電気機器の作動状態として検出し、前記センター装置は、電気機器のオン・オフ状態を取得することで電気機器の累積使用時間を算出し、当該累積使用時間が所定時間に達したときに電気機器の寿命を検知することを特徴とする。
【００１０】
この発明によれば、電気機器の寿命診断が可能となり、不具合を予防することができる。
【００１１】
請求項４の発明は、請求項１乃至３いずれかにおいて、前記電気機器は、自己の機能情報を格納した機能情報記憶手段を備え、
前記状態検出手段は、電気機器の作動状態とともに当該電気機器の機能情報を検出し、前記制御手段は、電力供給手段の識別情報に、当該電力供給手段に接続した電気機器の機能情報を付加して、電気機器の作動状態とともに外部ネットワークに伝送し、前記センター装置は、複数の電気機器の各機能情報に対応する異常判断基準を格納した判断基準記憶手段を備え、外部ネットワークを介して取得した機能情報に対応する異常判断基準を参照することで、外部ネットワークを介して取得した電気機器の作動状態から、電気機器の異常を検知することを特徴とする。
【００１２】
この発明によれば、各電気機器の機能情報に対応する異常判断基準をセンター装置に予め格納しておくことで、各電気機器の異常判断基準を詳細に設定することができ、異常検知の精度の向上とともに、広範囲化を図ることができる。
【００１３】
請求項５の発明は、請求項１乃至４いずれかにおいて、前記センター装置は、電気機器の異常を検知したときに、異常検知信号、および異常が検知された電気機器を接続した電力供給手段の識別情報を外部ネットワークを介して前記制御手段へ伝送し、制御手段が異常検知信号および識別情報を受信したときに、当該識別情報が割り当てられた電力供給手段に接続された電気機器が異常であることを報知する異常報知手段を宅内に設けることを特徴とする。
【００１４】
この発明によれば、異常が検知された電気機器の使用中止と点検、あるいは交換をユーザに報知することができる。さらに、請求項４のように各電気機器の機能情報を用いる場合は、異常が検知された電気機器の種別も報知することができる。
【００１５】
請求項６の発明は、請求項１乃至５いずれかにおいて、造営面に埋め込み配設され、造営面の裏側に先行配線されて電力、情報信号を伝送する電線に接続された複数のゲート装置を備え、前記電力供給手段、前記状態検出手段、および前記制御手段は、ゲート装置を介して電力を供給されるとともに情報信号の授受を行うことを特徴とする。
【００１６】
この発明によれば、ゲート装置にモジュールを接続するだけで、面倒な配線作業を行うことなく各モジュールは電力路と情報路とを同時に確保して、電気機器に電力を供給するとともに、情報信号の授受を容易に行うことができるので、電気機器の異常診断を容易に行うことができ、施工性に優れたものとなる。さらに、宅内に先行配線されている電力路、情報路に接続されたゲート装置を複数配置しており、電気機器の設置場所の移動、追加時には、いずれかのゲート装置にモジュールを接続し、このモジュールを介して電気機器に電力を供給するだけでよく、システムの柔軟性、拡張性にも優れている。
【発明の効果】
【００１７】
以上説明したように、本発明では、宅内においてユーザに負担をかけることなく簡便に電気機器の異常診断を行うことができるという効果がある。さらにセンター装置が、複数の電力供給手段に接続された電気機器の作動状態、およびその電力供給手段の識別情報を取得し、作動状態に基づいて電気機器の異常検知を行うとともに、識別情報に基づいて電力供給手段を特定することで、結果的にその電力供給手段に接続されている電気機器の異常を検知できる。
【発明を実施するための最良の形態】
【００１８】
以下、本発明の実施の形態を図面に基づいて説明する。
【００１９】
（実施形態１）
本実施形態の機器異常診断システムが適用される配線システムは、図１に示すように住宅やビル等の建物内の適所において埋め込み配設している１乃至複数のスイッチボックス２を設け、各スイッチボックス２間に壁面内に先行配線した電力線Ｌ１と、情報線Ｌ２とを送り配線するとともに、始端のスイッチボックス２に対しては、配線盤１内の主幹ブレーカＭＢと分岐ブレーカＢＢとを介して屋内に引き込まれた電力線Ｌ１を導入し、また外部のインターネット網ＮＴにゲートウェイＧＷ（ルータ、ハブ内蔵）を介して接続されている情報線Ｌ２を導入してある。ここでスイッチボックス２には室内の天井面のようなハイポジションＨＰに設けられるものと、壁スイッチ等で推奨される高さ位置の壁面のようなミドルポジションＭＰに設けられるものと、足元付近の壁面や床面のようなローポジションＬＰに設けられるものとに区分される。
【００２０】
これらのスイッチボックス２は、例えばＪＩＳで規格化された大角形の１個モジュール寸法の埋め込み型の配線器具が３個取り付けることができる１連の取付枠４（図４参照）に対応して規格化されており、図３に示すように上部から配線盤１または他のスイッチボックス２から送り配線されてくる電力線Ｌ１及び情報線Ｌ２を導入するとともに、下部からは他のスイッチボックス２へ送り配線するための電力線Ｌ１及び情報線Ｌ２を導出している。そして各スイッチボックス２には基本機能モジュール８を接続するゲート装置３のボディを夫々取付枠４により取り付けてある。
【００２１】
この取付枠４は図４に示すように中央に器具取り付け用の窓孔４ａを設けてあって、この窓孔４ａに取り付け対象の器具本体の前部を背方から嵌め、左右両側の枠片に設けた係止手段に器具本体の両側に設けた被係止部を係止させて器具本体を固定するようになっている。そして上下枠片に設けた取付孔４ｂに挿通する取り付けねじ（図示せず）をスイッチボックス２のねじ孔（図示せず）に締結することで、器具本体ごとスイッチボックス２に取り付けられる。またスイッチボックス２を用いず、埋め込み孔を開口した壁パネルに取り付ける場合には所謂挟み金具で壁パネルを挟持させて取り付けたり、木ねじを用いて取り付けることもできるようになっている。
【００２２】
ゲート装置３は図５に示すようにボディ背面部に速結端子構造の接続端子部５ａ，５ｂ及び送り配線用の接続端子部５ａ’、５ｂ’を設け、夫々に対応する電力線Ｌ１、情報線Ｌ２を接続するようになっている。またボディ前面部には、送られてきた電力線Ｌ１と電気的に接続されている接触部を備えた電力路接続口６Ａと、送られてきた情報線Ｌ２と電気的に接続されている情報路接続口６Ｂとを有しモジュール化した接続口６を図４に示すように備えている。
【００２３】
これら接続口６Ａ，６Ｂは両者間の間隔及び内部の接触部の配列、開口部の形状等がシステムとして規格化されており、このゲート装置３のボディ前面部を覆うようにスイッチボックス２の前面開口側に取り付ける図６に示す基本機能モジュール８の背面部に設けたコネクタ７の被接続部７Ａ、７Ｂが各接続口６Ａ，６Ｂに着脱自在に結合されるようになっている。
【００２４】
基本機能モジュール８は、後述する拡張機能モジュール１０とで機能モジュールを構成するもので、図６，図７（ａ）に示す合成樹脂製（ＡＢＳ等の非結晶性汎用プラスチック）で扁平なモジュール本体８Ａ内に図９に示す回路を内蔵しているもので、背面部のコネクタ７の被接続部７Ａ，７Ｂをゲート装置３の接続口６Ａ，６Ｂに結合させることで、スイッチボックス２の前面開口を覆うとともに、周部のフランジをスイッチボックス２の前面開口周辺の壁面に重ねた状態となり、その状態で上、下部の中央に穿孔している取付孔８０に取り付けねじ（図示せず）を前面部側から挿通させて取付枠４の上下枠に設けたねじ孔４ｃに螺入締結することでスイッチボックス２に取付枠４を介して取り付けられる。
【００２５】
またモジュール本体８Ａの前面部には、上、下の取付孔８０の開口位置より上または下側位置において、図７（ａ）に示すようにモジュール本体８Ａの幅方向に幅広溝８１ａと幅狭溝８１ｂとからなる連結用溝部８１を中央の仕切壁８２で左右に二分されるように形成している。
【００２６】
この仕切壁８２の左側または右側の連結用溝部８１には図７（ｂ）に示す合成樹脂製の連結体１００の片側半分を仕切壁８２に当たる位置まで嵌め込み、この連結体１００の残り半分を図８に示すように拡張機能モジュール１０側に同様に設けてある連結用溝部８１に嵌め込むことで、基本機能モジュール８と拡張機能モジュール１０とを機械的に結合できるようになっている。連結体１００は背面に幅広溝８１ａ，幅狭溝８１ｂを仕切る仕切壁８１ｃが嵌る溝１００ａを設け、両溝８１ａ、８１ｂに跨るように挿入される。そして基本機能モジュール８では前面部側から化粧カバー８Ｂを着脱自在に被着することで、また拡張機能モジュール１０では蓋部８３を閉じることで、両者の連結用溝部８１に跨るように嵌め込んである連結体１００が脱落しないように保持して連結状態を維持するようになっている。而して連結体１００と連結用溝部８１とが基本機能モジュール８と拡張機能モジュール１０との連結手段を構成する。
【００２７】
本配線システムでは、複数の種類の基本機能モジュール８が準備されており、基本機能モジュール８は、図９に示すように、被接続部７Ａを介して供給される商用電源ＡＣを安定した直流電圧からなる内部回路の動作電源＋Ｖに変換するＡＣ／ＤＣコンバータ２１と、被接続部７Ｂを介して接続される情報線Ｌ２を通じて双方向に伝送される情報信号を送受信する通信伝送部２２と、被接続部７Ａを介して商用電源ＡＣに接続される電源用コネクタ９Ａ，９Ａ’と、通信伝送部２２、被接続部７Ｂを介して情報線Ｌ２に接続される情報用コネクタ９Ｂ，９Ｂ’とを基本的に備える。そして、内部で情報信号を取り出したり、情報信号を送信する必要がある場合には、通信伝送部２２で受信される情報信号からデータを取り込んで処理を行うとともに、当該基本機能モジュール８から情報信号を送る場合の情報生成処理を行う演算処理部２３と、Ｉ／Ｏインターフェース２４を介して演算処理部２３との間でデータの授受を行って動作する機能部２５とを備え、通信伝送部２２、演算処理部２３、Ｉ／Ｏインターフェース２４で通信部２０を構成する。これら各部は動作電源＋Ｖを前記のＡＣ／ＤＣコンバータ２１から供給される。上記機能部２５の構成が基本機能モジュール８によって異なるのである。
【００２８】
基本機能モジュール８のモジュール本体８Ａの両側側面の一方側は雄型の電源用コネクタ９Ａ、情報用コネクタ９Ｂを、他方側には雌型の電源用コネクタ９Ａ’、情報用コネクタ９Ｂ’を設けている。そして、これら電源用コネクタ９Ａ，９Ａ’の接触片に被接続部７Ａの接触片を内部で接続することで、左右何れの方向に拡張機能モジュール１０が連結されても商用電源ＡＣを供給することができるようにしている。さらに、情報用コネクタ９Ｂ，９Ｂ’の接触片に通信伝送部２２の入出力を接続することで、左右何れの方向に拡張機能モジュール１０が連結されても情報信号の授受を行えるようにしている。なお、上記電源用コネクタ９Ａ，９Ａ’は、モジュール本体８Ａの両側側面において一端側に偏倚して配置され、上記情報用コネクタ９Ｂ，９Ｂ’は、モジュール本体８Ａの両側側面において他端側に偏倚して配置される。
【００２９】
これら電源用コネクタ９Ａ，９Ａ’、情報用コネクタ９Ｂ，９Ｂ’は、内部の接触部の配列、開口部の形状等がシステムとして規格化され、さらには同一面に配置された電源用コネクタと情報用コネクタとの間隔もシステムとして規格化されており、拡張機能モジュール１０の後述する電源用コネクタ１１Ａ，１１Ａ’、情報用コネクタ１１Ｂ，１１Ｂ’が着脱自在に結合されるようになっている。
【００３０】
次に、本配線システムでは、複数の種類の拡張機能モジュール１０が準備されており、拡張機能モジュール１０は図１０に示すように、電源用コネクタ１１Ａ，１１Ａ’と、情報用コネクタ１１Ｂ，１１Ｂ’と、電源用コネクタ１１Ａ，１１Ａ’いずれか一方を介して供給される商用電源ＡＣを、安定した直流電圧からなる内部回路の動作電源＋Ｖに変換するＡＣ／ＤＣコンバータ３１と、情報用コネクタ１１Ｂ，１１Ｂ’を介して双方向に伝送される情報信号を送受信する通信伝送部３２とを基本的に備える。そして、内部で情報信号を取り出したり、情報信号を送信する必要がある場合には、通信伝送部３２で受信される情報信号からデータを取り込んで処理を行うとともに、当該拡張機能モジュール１０から情報信号を送る場合の情報生成処理を行う演算処理部３３と、Ｉ／Ｏインターフェース３４を介して演算処理部３３との間でデータの授受を行って動作する機能部３５とを備え、通信伝送部３２、演算処理部３３、Ｉ／Ｏインターフェース３４で通信部２０を構成する。これら各部は動作電源＋Ｖを前記のＡＣ／ＤＣコンバータ３１から供給される。上記機能部３５の構成が拡張機能モジュール１０によって異なるのである。
【００３１】
そして、拡張機能モジュール１０は、基本的には図１１（ａ）に示すようにモジュール本体１０Ａの高さ寸法を基本機能モジュール８と同じ高さ寸法に規格化され、また横幅寸法も規格化された単位モジュール寸法の整数倍に規格化されている。
【００３２】
また、合成樹脂製（ＡＢＳ等の非結晶性汎用プラスチック）で扁平なモジュール本体１０Ａの両側側面の一方側は雄型の電源用コネクタ１１Ａ、情報用コネクタ１１Ｂを、他方側には雌型の電源用コネクタ１１Ａ’、情報用コネクタ１１Ｂ’を設けている。上記電源用コネクタ１１Ａ，１１Ａ’は、モジュール本体１０Ａの両側側面において一端側に偏倚して配置され、上記情報用コネクタ１１Ｂ，１１Ｂ’は、モジュール本体１０Ａの両側側面において他端側に偏倚して配置される。これら電源用コネクタ１１Ａ，１１Ａ’、情報用コネクタ１１Ｂ，１１Ｂ’は、基本機能モジュール８の電源用コネクタ９Ａ，９Ａ’、情報用コネクタ９Ｂ，９Ｂ’と同様に、内部の接触部の配列、開口部の形状等がシステムとして規格化され、さらには同一面に配置された電源用コネクタと情報用コネクタとの間隔もシステムとして規格化されており、基本機能モジュール８の電源用コネクタ９Ａ，９Ａ’、情報用コネクタ９Ｂ，９Ｂ’、あるいは他の拡張機能モジュール１０の電源用コネクタ１１Ａ，１１Ａ’、情報用コネクタ１１Ｂ，１１Ｂ’が着脱自在に結合されるようになっている。
【００３３】
具体的には、雄型の電源用コネクタ１１Ａ、情報用コネクタ１１Ｂは、基本機能モジュール８の雌型の電源用コネクタ９Ａ’、情報用コネクタ９Ｂ’、あるいは他の拡張機能モジュール１０の雌型の電源用コネクタ１１Ａ’、情報用コネクタ１１Ｂ’に接続し、雌型の電源用コネクタ１１Ａ’、情報用コネクタ１１Ｂ’は、基本機能モジュール８の雄型の電源用コネクタ９Ａ、情報用コネクタ９Ｂ、あるいは他の拡張機能モジュール１０の雄型の電源用コネクタ１１Ａ、情報用コネクタ１１Ｂに接続する。
【００３４】
そして、モジュール本体１０Ａ内ではこれら電源用コネクタ１１Ａ，１１Ａ’の接触片を互いに接続しており、片側の電源用コネクタが隣接する基本機能モジュール８または拡張機能モジュール１０の電源用コネクタに嵌合して電力を受け取る側となると、他方の電源用コネクタが電力供給側となる。
【００３５】
さらに、情報用コネクタ１１Ｂ，１１Ｂ’の接触片に通信伝送部３２の入出力を接続することで、左右何れの方向に基本機能モジュール８や、他の拡張機能モジュール１０が連結されても情報信号の授受を行えるようにしており、両側に隣接する基本機能モジュール８または拡張機能モジュール１０との間で情報信号を授受できるようになっている。
【００３６】
また、拡張機能モジュール１０のモジュール本体１０Ａの形状は、背面を図１１（ｂ）、（ｃ）に示すように平坦な面に形成して壁面に沿わせることができるようにしている。そして上下位置には上述の連結体１００を基本機能モジュール８と同様に挿入するための幅広溝８１ａ、幅狭溝８１ｂからなる連結用溝部８１を設けるとともに、この連結用溝部８１を開閉する蓋部８３を設け、連結体１００を装着する際や外す場合にはこの蓋部８３を開き、連結体１００の装着状態を保持する際には上述したように閉じるようになっている（図１１（ｃ）参照）。
【００３７】
図１は、ゲート装置３、基本機能モジュール８、拡張機能モジュール１０で構成される上記配線システムを用いて宅内機器を制御する機器異常診断システムの構成を示し、図２は各機能モジュールの配設状態を示す。以下、この機器異常診断システムについて説明する。
【００３８】
まず、電力線Ｌ１，情報線Ｌ２は住宅やビル等の建物内の壁面内に先行配線されて各ゲート装置３に配線されており、情報線Ｌ２は、ゲートウェイＧＷを介して外部ネットワークであるインターネット網ＮＴに宅外で接続したセンター装置ＣＳ（センターサーバー）に接続している。なお、このセンター装置ＣＳは、管理会社によって運営されている。
【００３９】
そして、室内のミドルポジションＭＰに設けられたゲート装置３には、本システムの電気機器の異常診断動作を制御する基本機能モジュール８ａ（以後、診断制御モジュール８ａと称す）、照明器具２００をオン／オフする壁スイッチを構成する基本機能モジュール８ｂ（以後、壁スイッチモジュール８ｂと称す）が接続される。
【００４０】
さらに、室内のハイポジションＨＰに設けられたゲート装置３には、照明器具の引掛プラグに対応した引掛栓刃接続部２６を有するとともに照明器具のオン・オフ機能および引掛栓刃接続部２６を介した供給電力の検知機能を備えた基本機能モジュール８ｃ（以後、照明接続モジュール８ｃと称す）が接続される。照明接続モジュール８ｃの引掛栓刃接続部２６には照明器具２００が接続され、照明器具２００に電源が供給される。
【００４１】
さらに、室内のローポジションＬＰに設けられたゲート装置３には、電源プラグ用の栓刃接続部２８を有するとともに栓刃接続部２８を介した供給電力の検知機能を備えた基本機能モジュール８ｄ（以後、コンセントモジュール８ｄと称す）が接続される。コンセントモジュール８ｄの栓刃接続部２８には、テレビ等の電気機器２０１の電源プラグが接続され、各電気機器２０１に電源が供給される。
【００４２】
診断制御モジュール８ａの機能部２５は、図１２に示すように、制御部２５０ａ、操作部２５０ｂ、表示部２５０ｃ、モジュール情報記憶部２５０ｄで構成され、制御部２５０ａが、通信伝送部２２、演算処理部２３、Ｉ／Ｏインターフェース２４で構成される通信部２０を介して他の機能モジュールとの間で情報信号の授受を行うとともに、後述する電気機器の作動状態をインターネット網ＮＴに伝送する制御手段を構成する。また、各部の動作は制御部２５０ａによって制御され、化粧カバー８Ｂの前面には、操作部２５０ｂの操作スイッチ、表示部２５０ｃの液晶画面を露出させている。
【００４３】
壁スイッチモジュール８ｂの機能部２５は、図１３に示すように照明器具の点灯・消灯を切り替える照明操作スイッチ２５１ａと、照明操作スイッチ２５１ａの操作データを生成して送るデータ生成機能を有するＣＰＵ部２５１ｂとで構成され、化粧カバー８Ｂの前面に照明操作スイッチ２５１ａの操作部を露出させている。
【００４４】
照明接続モジュール８ｃは、図１４に示すように、電源用コネクタ７Ａ−電源用コネクタ９Ａ，９Ａ´間から引き出された電源ラインを接続した引掛栓刃接続部２６を備え、化粧カバー８Ｂの前面に引掛栓刃接続部２６を露出させており、この引掛栓刃接続部２６が、照明器具２００に電力を供給する電力供給手段を構成する。そして、機能部２５は図１５に示すように、引掛栓刃接続部２６を介して照明器具に供給される電流、電圧、電力を検出することで照明器具の作動状態を検出する状態検出部２５２ａと、引掛栓刃接続部２６に照明器具２００が接続されたことを検出するスイッチ等からなる接続検出部２５２ｂと、後述する識別情報を記憶するモジュール情報記憶部２５２ｃと、引掛栓刃接続部２６の出力をオン・オフする出力切替部２５２ｄと、通信部２０を介して情報線Ｌ２との間で情報信号の授受を行い各部の動作を制御する制御部２５２ｅとを備える。そして、壁スイッチモジュール８ｂの照明操作スイッチ２５１ａを操作することによって、対応する照明接続モジュール８ｃに情報線Ｌ２を介して点灯／消灯信号が伝送されると、照明接続モジュール８ｃでは、受け取った点灯／消灯信号に基づいて、制御部２５２ｅが出力切替部２５２ｄのオン・オフを切り替えて、照明器具２００が点灯／消灯される。
【００４５】
コンセントモジュール８ｄは、図１６に示すように、電源用コネクタ７Ａ−電源用コネクタ９Ａ，９Ａ´間から引き出された電源ラインを接続した栓刃接続部２８を備え、化粧カバー８Ｂの前面に栓刃接続部２８を露出させており、この栓刃接続部２８が、電気機器２０１に電力を供給する電力供給手段を構成する。そして、機能部２５は図１７に示すように、栓刃接続部２８を介して電気機器２０１に供給される電流、電圧、電力を検出することで電気機器の作動状態を検出する状態検出部２５３ａと、栓刃接続部２８に電気機器２０１が接続されたことを各コンセント口毎に検出するスイッチ等からなる接続検出部２５３ｂと、後述する識別情報を記憶するモジュール情報記憶部２５３ｃと、通信部２０を介して情報線Ｌ２との間で情報信号の授受を行い各部の動作を制御する制御部２５３ｄとを備える。
【００４６】
診断制御モジュール８ａは、照明接続モジュール８ｃの引掛栓刃接続部２６に照明器具２００が接続されて、接続検出部２５２ｂからの接続信号を情報線Ｌ２を介して受け取った場合、あるいはコンセントモジュール８ｄの栓刃接続部２８に電気機器２０１が接続されて、接続検出部２５３ｂからの接続信号を情報線Ｌ２を介して受け取った場合に、当該照明接続モジュール８ｃ、コンセントモジュール８ｄの各コンセント口に識別情報を自動的に割り当てるとともに当該照明接続モジュール８ｃ、コンセントモジュール８ｄからモジュールの種類等の情報を受け取る機能を有しており、照明接続モジュール８ｃ、コンセントモジュール８ｄに割り当てられた識別情報は、各モジュールのモジュール情報記憶部２５２ｃ、２５３ｃに格納されるとともに、診断制御モジュール８ａのモジュール情報記憶部２５０ｄは、割り付けた識別情報と当該モジュールの種類（照明接続モジュール８ｃまたはコンセントモジュール８ｄ）とを対応させて一括して格納する。さらに、診断制御モジュール８ａの操作部２５０ｂを操作することで、各モジュールの名称、設置場所等（例えば、「寝室の南側コンセント」、「居間の東側コンセント」、「台所の天井コンセント」）を各識別情報に対応させて入力し、モジュール情報記憶部２５０ｄに格納することができる。なお、栓刃接続部２８が複数のコンセント口を有するときは、接続検出部２５３ｂが検出する各コンセント口毎の接続状態に応じて、１つのコンセント口に１つの識別情報が割り当てられる。
【００４７】
例えば、診断制御モジュール８ａにＵＰｎＰ（ユニバーサル・プラグ・アンド・プレイ）のコントロールポイントの機能を実装することで上記機能を実現でき、ＵＰｎＰにおいてデバイスの検出を行うＳＳＤＰ（Simple Service Discovery Protocol）を利用してＵＰｎＰのデバイスに相当する各モジュールを自動的に検出し、各モジュールのネットワークアドレス（識別情報）、すなわちプライベートのＩＰアドレスを、ＤＨＣＰ（Dynamic Host Configuration Protocol）を用いて自動的に割り当てる。但し、ＤＨＣＰを用いたネットワークアドレスの自動割り当てについては従来周知であるから詳細な説明は省略する。
【００４８】
次に、照明器具２００、電気機器２０１の異常診断動作について説明する。なお、本実施形態では、照明器具２００を電気機器２０１と区別しているが、照明器具２００も電気機器の一形態である。
【００４９】
診断制御モジュール８ａは、操作部２５０ｂを操作することによって、制御部２５０ａの動作を学習モードと診断モードとに切り替えることができ、学習モード時の動作について以下説明する。
【００５０】
まず、壁スイッチモジュール８ｂの照明操作スイッチ２５１ａを操作して、消灯→点灯→消灯の一連の動作を照明器具２００に行わせる。このときの点灯時間は、点灯後の照明器具２００への供給電力が定常状態に落ち着くまでの時間とする。そして、照明接続モジュール８ｃでは、状態検出部２５２ａが引掛栓刃接続部２６を介して照明器具２００に供給している電流、電圧、電力を状態検出値として検出し、制御部２５０ａは、この状態検出値を自己の識別情報とともに診断制御モジュール８ａへ情報線Ｌ２を介して送信する。この状態検出値は、電源投入時から定常状態を介して電源遮断時に至るまでの全状態でのデータとなる。
【００５１】
また、電気機器２０１の各電源スイッチ（図示なし）を操作して、電源オフ→電源オン→電源オフの一連の動作を電気機器２０１に行わせる。このときの電源オン時間は、電源オン後の電気機器２０１への供給電力が定常状態に落ち着くまでの時間とする。そして、コンセントモジュール８ｄでは、状態検出部２５３ａが栓刃接続部２８を介して電気機器２０１に供給している電流、電圧、電力を状態検出値として検出し、制御部２５３ｄは、この状態検出値を自己の識別情報とともに診断制御モジュール８ａへ情報線Ｌ２を介して送信する。この状態検出値は、電源投入時から定常状態を介して電源遮断時に至るまでの全状態でのデータとなる。
【００５２】
学習モード時の診断制御モジュール８ａは、これらの状態検出値を対応する識別情報とともに、情報線Ｌ２、ゲートウェイＧＷ、インターネット網ＮＴを介してセンター装置ＣＳへ送信する。
【００５３】
センター装置ＣＳは、図１８に示すように、異常判断部３０１、寿命判断部３０２、正常データ記憶部３０３とを備えており、診断制御モジュール８ａから送信された状態検出値を、照明器具２００、電気機器２０１の正常時のデータとして各モジュールの識別情報に対応させて正常データ記憶部３０３に格納する。また、学習モード時に収集した状態検出値を、正常時のデータとしてセンター装置ＣＳに格納しておくことで、種類、仕様、定格に関わらず、任意の照明器具２００、電気機器２０１に対して異常診断を行うことができる。
【００５４】
次に、診断モード時の動作について説明する。照明接続モジュール８ｃ、コンセントモジュール８ｄは、上記同様に照明器具２００、電気機器２０１に供給している電流、電圧、電力を状態検出値として一定時間毎に検出する。さらに、照明接続モジュール８ｃの制御部２５２ｅは、出力切替部２５２ｄをオンさせている間、照明器具２００が点灯していると判断して、オン検知信号を生成する。また、コンセントモジュール８ｄの制御部２５３ｄは、状態検出部２５３ａの出力に基づいて、栓刃接続部２８に所定値以上の電流が流れた場合に電気機器２０１が動作していると判断して、オン検知信号を生成する。このように、照明接続モジュール８ｃ、コンセントモジュール８ｄは、照明器具２００、電気機器２０１の状態検出値とともに、オン・オフ状態も検出する。
【００５５】
そして、照明接続モジュール８ｃ、コンセントモジュール８ｄは、この状態検出値、オン・オフ状態を自己の識別情報とともに診断制御モジュール８ａへ情報線Ｌ２を介して送信する。診断モード時の診断制御モジュール８ａは、これらの状態検出値、オン・オフ状態を対応する識別情報とともに、情報線Ｌ２、ゲートウェイＧＷ、インターネット網ＮＴを介してセンター装置ＣＳへ送信する。センター装置ＣＳの異常判断部３０１は、送信されてきた識別情報に対応する正常時の状態検出値を参照して、送信されてきた状態検出値が、正常時の状態検出値を中心とする所定範囲内にあれば、当該照明接続モジュール８ｃ、コンセントモジュール８ｄに接続されている照明器具２００、電気機器２０１は正常であると判断し、送信されてきた状態検出値が上記範囲外であれば、当該照明接続モジュール８ｃ、コンセントモジュール８ｄに接続されている照明器具２００、電気機器２０１は異常であると判断する。
【００５６】
このとき、センター装置ＣＳの異常判断部３０１は、照明器具２００、電気機器２０１のオン・オフ状態に基づいて異常検知を行っており、例えば、照明器具２００、電気機器２０１がオン状態の時には（オン検知信号を受け取っている期間）、送信されてきた状態検出値に基づいて、ショットノイズ的な電流、電圧を監視し、この電流、電圧が一定値を超えた回数が所定回数を超えた時点で異常を検知する。また、照明器具２００、電気機器２０１がオフ状態の時には（オン検知信号を受け取っていない期間）、送信されてきた状態検出値に基づいて、供給電力が所定値以上になれば漏電と判断して異常を検知する。
【００５７】
照明器具２００、電気機器２０１の異常を検知したセンター装置ＣＳは、インターネット網ＮＴ、ゲートウェイＧＷ、情報線Ｌ２を介して、異常検知されたモジュールの識別情報とともに異常報知信号を診断制御モジュール８ａへ送信する。モジュールの識別情報、異常報知信号を受けた診断制御モジュール８ａの制御部２５０ａは、モジュール情報記憶部２５０ｄに格納している情報を参照して、異常が検知されたモジュール名、設置場所等（例えば、「寝室の南側コンセント」、「居間の東側コンセント」、「台所の天井コンセント」）を表示部２５０ｃに表示し、当該モジュールに接続された照明器具２００、電気機器２０１の使用中止と点検、あるいは照明器具２００のランプ交換を家人に報知する。
【００５８】
このように、センター装置ＣＳが、照明接続モジュール８ｃ、コンセントモジュール８ｄに接続された照明器具２００、電気機器２０１の作動状態（状態検出値、オン・オフ状態）、およびその照明接続モジュール８ｃ、コンセントモジュール８ｄの引掛栓刃接続部２６、栓刃接続部２８の識別情報をコンセント口毎に取得し、作動状態に基づいて照明器具２００、電気機器２０１の異常検知を行うとともに、識別情報に基づいて照明接続モジュール８ｃ、コンセントモジュール８ｄのコンセント口を特定することで、結果的にその照明接続モジュール８ｃ、コンセントモジュール８ｄのコンセント口に接続されている照明器具２００、電気機器２０１の異常を検知できる。
【００５９】
さらに、本実施形態の機器異常診断システムは、各照明器具２００、電気機器２０１の寿命も判断することができ、以下、各機器の寿命判断動作について説明する。
【００６０】
センター装置ＣＳの寿命判断部３０２は、照明器具２００、電気機器２０１のオン検知信号を受信している間の時間を、照明器具２００、電気機器２０１の使用時間として計時し、識別情報毎に累積する。そして、この累積使用時間が所定時間に達すると、当該識別情報に対応するモジュールに接続された照明器具２００、電気機器２０１が寿命に達したと判断する。
【００６１】
照明器具２００、電気機器２０１の寿命を検知したセンター装置ＣＳは、インターネット網ＮＴ、ゲートウェイＧＷ、情報線Ｌ２を介して、寿命検知されたモジュールの識別情報とともに寿命報知信号を診断制御モジュール８ａへ送信する。モジュールの識別情報、寿命報知信号を受けた診断制御モジュール８ａの制御部２５０ａは、モジュール情報記憶部２５０ｄに格納している情報を参照して、寿命が検知されたモジュール名、設置場所等を表示部２５０ｃに表示し、当該モジュールに接続された照明器具２００、電気機器２０１の交換、あるいは照明器具２００のランプ交換を家人に報知することで、不具合を予防している。
【００６２】
センター装置ＣＳには、複数の住宅、ビル等に上記同様に設置した診断制御モジュール８ａ、照明接続モジュール８ｃ、コンセントモジュール８ｄからの情報が送信されており、照明器具を含む電気機器の異常・正常の判断を行う重要な機能を有するセンター装置ＣＳを外部ネットワークであるインターネット網ＮＴを介して宅外に設けることで、複数の住宅、ビルの機器異常に関する保守やデータのバックアップ等を、センター装置ＣＳで一元化して行うことができ、各住宅、ビルのユーザに負担はかからない。したがって、ユーザに負担をかけることなく簡便に、照明器具を含む電気機器の異常診断（寿命診断を含む）行うことができる。
【００６３】
また、ゲート装置３に診断制御モジュール８ａ、照明接続モジュール８ｃ、コンセントモジュール８ｄを接続するだけで、面倒な配線作業を行うことなく各モジュールは電力路と情報路とを同時に確保して、照明接続モジュール８ｃ、コンセントモジュール８ｄを介して電気機器に電力を供給するとともに、診断制御モジュール８ａと照明接続モジュール８ｃ、コンセントモジュール８ｄとの間で情報信号の授受を容易に行うことができるので、電気機器の異常診断を容易に行うことができ、施工性に優れたものとなる。さらに、宅内に先行配線されている電力線Ｌ１、情報線Ｌ２に接続されたゲート装置３は宅内の至るところに配置されており、電気機器の設置場所の移動、追加時には、いずれかのゲート装置３に照明接続モジュール８ｃ、コンセントモジュール８ｄを接続し、この照明接続モジュール８ｃ、コンセントモジュール８ｄを介して電気機器に電力を供給するだけでよく、システムの柔軟性、拡張性にも優れている。
【００６４】
すなわち、本機器異常診断システムでは、宅内の各部屋単位で至るところに備え付けられているゲート装置３に、照明接続モジュール８ｃ、コンセントモジュール８ｄ等の機能モジュールを接続することで、全ての電気機器の異常を診断できるのである。なお、コンセントモジュール８ｄのコンセントは、空調機器用コンセント等の他の形状を有するものでもよい。
【００６５】
また、本実施形態では、照明接続モジュール８ｃと照明器具２００、コンセントモジュール８ｄと電気機器２０１のように、電力供給手段、状態検出手段を備える機能モジュールと電気機器とを組み合わせているが、電力供給手段、状態検出手段を有する機能モジュール自体に電気機器の機能を組み込んでもよく、上記同様に異常診断を行うことができる。
【００６６】
基本機能モジュール８、拡張機能モジュール１０としては上記以外に、空調機器の運転操作器や、空調機器の温度設定器や、電力供給を利用した電気カミソリ、電動歯ブラシ、携帯オーディオプレーヤ等の充電器、監視カメラ等で撮像した映像の伝送機能やモニタ機能を有するインターホンの親機，子機、火災センサ、人感センサ等がある。
【００６７】
また、上記各機能モジュールは、基本機能モジュール８、拡張機能モジュール１０のいずれでも構成できる
また、ゲート装置３、基本機能モジュール８、拡張機能モジュール１０がコネクタの代わりにコアにコイルを巻回した構成を各々備えて、互いのコアが磁気結合することで相手側のコイルに低圧交流電源電圧を誘起させて電源供給を行い、さらには情報信号をＥ／Ｏ変換を経て送り出し、情報信号をＯ／Ｅ変換を経て取り込むことで、光信号からなる情報信号を発光素子、受光素子を用いて非接触で双方向に伝送すれば、ゲート装置３、基本機能モジュール８、拡張機能モジュール１０間の電力、情報信号の授受を非接触で行うことができる。
【００６８】
また、システム全体の情報信号の伝送方式を電力線搬送方式で行えば、電力路と情報路との共通化を図ることができる。
【００６９】
なお、本発明の機能モジュールを用いる機器異常診断システムの情報信号の伝送方式としては、ベースバンド伝送またはブロードバンド伝送の何れを採用しても良く、またプロトコルも何れでも良く、特に限定されるものではないので、説明は省略する。またゲート装置３間の使用プロトコルと、ゲート装置３に連なる機能モジュール８，１０での使用プロトコルを異ならせ、例えばゲート装置３でプロトコル変換を行うようにしても良い。
【００７０】
また、本機器異常診断システムにおいては、例えば図３に示すように、基本機能モジュール８をゲート装置３に接続し、基本機能モジュール８の右側部にはある機能を有する拡張機能モジュール１０を接続し、この拡張機能モジュール１０の右側部には異なる機能を有する拡張機能モジュール１０を接続することができ、したがって、予め同一に配線されている電力線Ｌ１、情報線Ｌ２にゲート装置３、基本機能モジュール８、拡張機能モジュール１０を接続することで、各機能モジュールは電力路と情報路とを同時に確保でき、新たに配線工事を行う必要がなく、施工性に優れている。また、各機能モジュールは互いに同一の情報線Ｌ２を用いることで、他の機能モジュールとの間の連動制御を容易に行なうことができ、拡張性に優れたものとなる。
【００７１】
而して基本機能モジュール８を使用するに当たっては、まず、ゲート装置３を予め建物の適所の壁面に埋設してあるスイッチボックス２に取付枠４を介して取り付け、先行配線されている電力線Ｌ１，情報線Ｌ２の接続を行う。その後、ゲート装置３の前面部に設けられた電線路接続口６Ａ，６Ｂに対して基本機能モジュール８のコネクタ７の対応する被接続部７Ａ，７Ｂを接続するとともに、基本機能モジュール８をゲート装置３の前面部を覆うように取付枠４に取り付ける。この基本機能モジュール８はこの取り付けた状態において壁面よりも前面部が突出し、両側面が室内側に露出することになる。
【００７２】
そして、拡張機能モジュール１０は基本機能モジュール８の露出した両側側面の一方に片側の側面を面接させてコネクタ接続し、この状態で連結体１００を用いて拡張機能モジュール１０と基本機能モジュール８とを機械的に連結する。これによって基本機能モジュール８と拡張機能モジュール１０とで機能モジュールが構成されることになる。このとき拡張機能モジュール１０の背面はスイッチボックス２の側方の壁面に沿うことになり、例えば壁面にクロス貼り等が施されている場合、拡張機能モジュール１０の背面の位置が多少のずれていてもそれを吸収して背面を壁部に密接させた状態に配設することができ、拡張機能モジュール１０の前面部から操作力等が加わっても連結部位に加わる荷重を軽減することができる。
【００７３】
さらに先に連結した拡張機能モジュール１０に別の拡張機能モジュール１０を連結する場合には、対向側面を面接させてコネクタ接続した状態で連結体１００により互いに機械的に連結する。このようにして図３に示すように順次拡張機能モジュール１０を側方に連結することができる。
【００７４】
なお、基本機能モジュール８は両側に拡張機能モジュール１０を連結することができるため、基本機能モジュール８の両側方向に拡張機能モジュール１０を連結しても良い。このようにして拡張機能モジュール１０を連結した後、両端に位置する拡張機能モジュール１０または基本機能モジュール８の連結部位の側部に着脱自在にエンドカバー１０１を被着することで、拡張機能モジュール１０の連結施工が完了することになる。なお、基本機能モジュール８に拡張機能モジュール９を連結しない状態、つまり未使用のまま置いておく場合にはエンドカバー１０１を基本機能モジュール８の両側部に被着する。
【００７５】
以上のようにして配設施工が終了し、システムが完成した後は、対応する基本機能モジュール８、拡張機能モジュール１０間で情報信号の授受を行う。
【００７６】
また、本実施形態では拡張機能モジュール１０や基本機能モジュール８の追加や削除に特別な施工が不要となり、そのため一般ユーザの好みに合わせて拡張機能モジュール１０を基本機能モジュール８に連結するだけで、拡張性が確保される。
【００７７】
なお、本実施形態に用いるゲート装置３は取付枠４でスイッチボックス２に取り付けているが、スイッチボックス２の奥壁に直接取り付け、基本機能モジュール８をスイッチボックス２に取り付ける構成としても勿論良い。
【００７８】
（実施形態２）
本実施形態の機器異常診断システムは、各照明器具２００、電気機器２０１として、図１９（ａ）（ｂ）に示すように、各々の機能情報（例えば、「照明」、「テレビ」、「エアコン」等の機能名称や、メーカ、型式等の製品情報等）を格納した機能情報記憶部２００ａ，２００ｂを備えるものを用いる。
【００７９】
まず、照明接続モジュール８ｃ、コンセントモジュール８ｄの状態検出部２５２ａ，２５３ａは、照明器具２００、電気機器２０１の状態検出値とともに、照明器具２００、電気機器２０１の機能情報記憶部２００ａ，２００ｂに格納されている機能情報を検出する。
【００８０】
そして照明接続モジュール８ｃ、コンセントモジュール８ｄは、照明器具２００、電気機器２０１の状態検出値、オン・オフ状態を、自己の識別情報および自己に接続された照明器具２００、電気機器２０１の機能情報とともに診断制御モジュール８ａへ情報線Ｌ２を介して送信する。診断モード時の診断制御モジュール８ａは、識別情報に機能情報を付加して、状態検出値、オン・オフ状態とともに、情報線Ｌ２、ゲートウェイＧＷ、インターネット網ＮＴを介してセンター装置ＣＳへ送信する。
【００８１】
本実施形態のセンター装置ＣＳは、実施形態１の正常データ記憶部３０３の代わりに判断基準記憶部３０４を備えており（図１８中の破線参照）、判断基準記憶部３０４には、照明器具２００、電気機器２０１の異常状態を判断するための判断基準データが、機能情報に対応して予め格納されている。そして、センター装置ＣＳの異常判断部３０１は、送信されてきた機能情報に対応する判断基準を判断基準格納部３０４から読み出し、この判断基準を参照して、送信されてきた状態検出値、オン・オフ状態から照明器具２００、電気機器２０１の異常を判断する。判断基準格納部３０４には、機能情報毎に予め作成した判断基準データが格納されているので、高精度、広範囲の異常検知を行うことができる。
【００８２】
例えば、判断基準として各機器の定格電力を設定し、送信されてきた状態検出値、オン・オフ状態から、オン時の照明器具２００、電気機器２０１への供給電力が定格電力の上限値、下限値を超えた場合、異常であると判断する。また、オン時の照明器具２００、電気機器２０１への供給電力が定格電力の所定割合（％）を下回った場合は機器の寿命であると判断する。
【００８３】
照明器具２００、電気機器２０１の異常を検知したセンター装置ＣＳは、インターネット網ＮＴ、ゲートウェイＧＷ、情報線Ｌ２を介して、異常検知されたモジュールの識別情報、当該モジュールに接続された照明器具２００、電気機器２０１の機能情報とともに異常報知信号を診断制御モジュール８ａへ送信する。モジュールの識別情報、異常報知信号を受けた診断制御モジュール８ａの制御部２５０ａは、モジュール情報記憶部２５０ｄに格納している情報を参照して、異常が検知されたモジュール名、設置場所等（例えば、「寝室の南側コンセント」、「居間の東側コンセント」、「台所の天井コンセント」）を表示部２５０ｃに表示する。さらに、機器の機能情報も送信されているので、機器の名称（「照明」、「テレビ」、「エアコン」等）も表示部２５０ｃに表示できる。そして、当該モジュールに接続された照明器具２００、電気機器２０１の使用中止と点検、あるいは照明器具２００のランプ交換を家人に報知する。
【図面の簡単な説明】
【００８４】
【図１】実施形態１の機器異常診断システムの構成図である。
【図２】同上のシステムの配設状態を示す斜視図である。
【図３】同上の機能モジュールの配設状態を示す斜視図である。
【図４】同上のゲート装置を取付枠に取り付けた状態の正面図である。
【図５】同上のゲート装置への配線形態を示す斜視図である。
【図６】同上の基本機能モジュールをスイッチボックスから外した状態の斜視図である。
【図７】（ａ）は同上の基本機能モジュールの化粧カバーを外した状態の斜視図、（ｂ）は連結体の斜視図である。
【図８】同上の基本機能モジュールと拡張モジュールとの連結構成の説明図である。
【図９】同上のゲート装置、基本機能モジュールの回路構成図である。
【図１０】同上の拡張機能モジュールの回路構成図である。
【図１１】同上の拡張機能モジュールを示し、（ａ）は正面図、（ｂ）は側面図、（ｃ）は蓋部を開き、連結体を外した状態の側面図である。
【図１２】同上の診断制御モジュールの機能部の回路構成図である。
【図１３】同上の壁スイッチモジュールの機能部の回路構成図である。
【図１４】同上の照明接続モジュールの回路構成図である。
【図１５】同上の照明接続モジュールの機能部の回路構成図である。
【図１６】同上のコンセントモジュールの回路構成図である。
【図１７】同上のコンセントモジュールの機能部の回路構成図である。
【図１８】同上のセンター装置の回路構成図である。
【図１９】（ａ）（ｂ）実施形態２の照明器具、電気機器の一部を示す構成図である。
【符号の説明】
【００８５】
Ｌ１  電力線
Ｌ２  情報線
ＧＷ  ゲートウェイ
ＮＴ  インターネット網
ＣＳ  センター装置
３  ゲート装置
８ａ  診断制御モジュール
８ｃ  照明接続モジュール
８ｄ  コンセントモジュール
２００  照明器具
２０１  電気機器
【図１】
2007265049.tif 000003
【図２】
2007265049.tif 000004
【図３】
2007265049.tif 000005
【図４】
2007265049.tif 000006
【図５】
2007265049.tif 000007
【図６】
2007265049.tif 000008
【図７】
2007265049.tif 000009
【図８】
2007265049.tif 000010
【図９】
2007265049.tif 000011
【図１０】
2007265049.tif 000012
【図１１】
2007265049.tif 000013
【図１２】
2007265049.tif 000014
【図１３】
2007265049.tif 000015
【図１４】
2007265049.tif 000016
【図１５】
2007265049.tif 000017
【図１６】
2007265049.tif 000018
【図１７】
2007265049.tif 000019
【図１８】
2007265049.tif 000020
【図１９】
2007265049.tif 000021